(57)【要約】【課題】パチンコ遊技機または遊戯盤を設置状態と同様の目線状態に、安易に安定した状態で固定することが可能な遊戯機の釘調整用支持台を提供する。【解決手段】左右方向に間隔を置いて直立する２本の柱部材２と、柱部材２間の下方部に水平に掛渡し固定して設けられた遊戯機載置部材３と、柱部材２間の遊戯機載置部材３の上部に水平に掛渡し固定および撤去可能に設けられた遊戯盤載置部材４と、柱部材２の上端間に掛渡し連結して設けられた上端連結部材５と、により、２本の柱部材２の間および遊戯機載置部材３と上端連結部材５との間に遊戯機ａを、遊戯盤載置部材４と上端連結部材５との間に遊戯盤ｂをそれぞれ挿入可能な短形の枠形状に構成され、上端連結部材５の左右方向中央部に下方向押付け装置６を設けられている。【選択図】  図１
2005144088.tif 000002
【特許請求の範囲】
【請求項１】
左右方向に間隔を置いて直立する２本の柱部材と、柱部材間の下方部に水平に掛渡し固定して設けられた遊戯機載置部材と、柱部材間の遊戯機載置部材の上部に水平に掛渡し固定および撤去可能に設けられた遊戯盤載置部材と、柱部材の上端間に掛渡し連結して設けられた上端連結部材と、により、２本の柱部材の間および遊戯機載置部材と上端連結部材との間にパチンコ遊戯機を、遊戯盤載置部材と上端連結部材との間に遊戯盤をそれぞれ挿入可能な矩形の枠形状に構成され、上端連結部材の左右方向中央部に下方向押付け装置を設けられていることを特徴とするパチンコ遊戯機の釘調整用支持台。
【請求項２】
前記遊戯機載置部材は、その上面に載置されたパチンコ遊戯機がパチンコ店におけるパチンコ遊戯機の設置高さとなる位置に設けられていることを特徴とする請求項１に記載のパチンコ遊戯機の釘調整用支持台。
【請求項３】
前記遊戯盤載置部材は、その上面に載置された遊戯盤がパチンコ店における遊戯盤の設置高さとなる位置に設けられていることを特徴とする請求項１に記載のパチンコ遊戯機の釘調整用支持台。
【請求項４】
前記上端連結部材は、その下面にパチンコ遊戯機を立掛ける遊戯機上部支持板および遊戯盤を立掛ける遊戯盤上部支持板が設けられていることを特徴とする請求項１に記載のパチンコ遊戯機の釘調整用支持台。
【請求項５】
前記下方向押付け装置は、昇降部およびトグルクランプ部を設けて構成されていることを特徴とする請求項１に記載のパチンコ遊戯機の釘調整用支持台。
【発明の詳細な説明】
【技術分野】
【０００１】  本発明はパチンコ遊戯機に関し、詳細には、パチンコ遊戯機をパチンコ店に設置する前に釘調整を行うための支持台に関する。
【背景技術】
【０００２】  パチンコ遊戯機（以下において「遊戯機」と省略して記述する。）は、製造業者から出荷されたものをそのまま設置したのでは、殆どの場合、遊戯球が遊戯盤に打ち並べられた釘の間をスムーズに通過しない。従って、パチンコ店では、新規開店する場合あるいは従来の遊戯機を新しいものに替えて新装開店する場合、何れの場合も、新しい全ての遊戯機について、遊戯盤に打ち並べられた釘の状態を点検および調整する釘調整が開店前に必ず行われている。これまでは、新しい遊戯機がパチンコ店に遊戯可能状態に設置された状態（以下において「パチンコ店に遊戯可能状態に設置された状態」を「設置状態」と省略して記述する。）で、作業者の熟練した手作業により釘調整作業が行われており、現在も多くの場合設置状態で行われている。すなわち、この釘調整作業は、熟練作業者の長年の経験から、遊戯機の設置状態で行われることにより、適正に要領良く実施されている。【０００３】  新しい遊戯機は、新装開店において遊戯機の一部である遊戯盤のみを交換する場合があるが、多くの場合遊戯機を一体として新規設置あるいは交換設置され、新規開店あるいは新装開店の何れの場合も、工事期間を短縮してできるだけ早く開店することが要望されている。このような要望に対し、工事期間の終盤において設置状態で釘調整を行うのではなく、他の工事作業と平行してあるいは事前に別の場所で釘調整を行い、釘調整済の遊戯機または遊戯盤をパチンコ店に設置し、設置後は釘調整を行わない作業行程が組まれるようになった。このような作業行程における釘調整は、倉庫等において、遊戯機または遊戯盤を適宜に箱、机等の上に載置したり、工事の度に一時的に製作される簡易な支持枠に固定したりして行われている。なお、特開２００２−２１０１９７号公報、特開２０００−５１５０７号公報において、遊技機の支持枠に関する技術が開示されている。しかし、これらの開示技術はパチンコ店において遊戯機を設置するための支持枠に関するものであり、本発明の出願時点において、遊戯機または遊戯盤の釘調整を行うための支持台に関する技術を開示した特許文献あるいは非特許文献は発見できなかった。【０００４】
【特許文献１】  特開２００２−２１０１９７号公報
【特許文献２】  特開２０００−５１５０７号公報
【発明の開示】
【発明が解決しようとする課題】
【０００５】  従来の遊戯機または遊戯盤の設置状態以外における釘調整は以上のように行われていたため、つぎのような課題が存在していた。
（１）遊戯機または遊戯盤が簡易的に固定されていることにより、固定状態が不安定であり作業に集中できず、適正な作業が迅速にできない場合がある。
（２）釘調整は、遊戯機または遊戯盤が設置状態における遊戯時の目線と同様の目線状態で行われることが望ましいが、簡易的な固定ではこのような要望が容易に満たされず、無理な姿勢の作業となったり、適正な釘調整が容易に行えず手間取ったりする場合がある。【０００６】  本発明は以上のような課題を解決するためになされたものであり、遊戯機または遊戯盤を設置状態と同様の目線状態に、容易に安定した状態で固定することが可能な遊戯機の釘調整用支持台を提供することを目的とする。
【課題を解決するための手段】
【０００７】  本発明による遊戯機の釘調整用支持台は、左右方向に間隔を置いて直立する２本の柱部材と、柱部材間の下方部に水平に掛渡し固定して設けられた遊戯機載置部材と、柱部材間の遊戯機載置部材の上部に水平に掛渡し固定および撤去可能に設けられた遊戯盤載置部材と、柱部材の上端間に掛渡し連結して設けられた上端連結部材と、により、２本の柱部材の間および遊戯機載置部材と上端連結部材との間に遊戯機を、遊戯盤載置部材と上端連結部材との間に遊戯盤をそれぞれ挿入可能な矩形の枠形状に構成され、上端連結部材の左右方向中央部に下方向押付け装置を設けられている。【０００８】  詳細には、前記遊戯機載置部材は、その上面に載置された遊戯機がパチンコ店における遊戯機の設置高さとなる位置に設けられている。【０００９】  詳細には、前記遊戯盤載置部材は、その上面に載置された遊戯盤がパチンコ店における遊戯盤の設置高さとなる位置に設けられている。【００１０】  詳細には、前記上端連結部材は、その下面に遊戯機を立掛ける遊戯機上部支持板および遊戯盤を立掛ける遊戯盤上部支持板が設けられている。【００１１】  詳細には、前記下方向押付け装置は、昇降部およびトグルクランプ部を設けて構成されている。
【発明の効果】
【００１２】  本発明による遊戯機の釘調整用支持台は以上のように構成されていることにより、以下のような効果を得ることができる。
（１）遊戯機の釘調整用支持台により、釘調整作業のための遊戯機または遊戯盤を常時同じ状態に安定して載置固定することが可能になり、パチンコ店の設置場所以外の場所で、任意の時間に、常時同一の安定した載置条件のもとで、釘調整作業を行うことが可能になった。
（２）遊戯機または遊戯盤をパチンコ店における設置高さに、また、上部を僅かに奥側へ傾けて載置固定することが可能になり、遊戯機を設置状態すなわち遊戯時と同等の目線状態において、安定した適正な釘調整作業を行うことが可能になった。
（３）遊戯機の機種の違いによる遊戯機または遊戯盤の異なる高さ寸法に対し、下方向押付け装置により固定高さの設定変更を容易に行うことおよび載置状態の固定・解放を一操作で容易に行うことが可能になり、多数台の同一機種すなわち同一高さ寸法の遊戯機または遊戯盤について、未調整のものを載置し調整済のものを撤去する作業を容易かつ迅速に行うことが可能になった。
【発明を実施するための最良の形態】
【００１３】  以下、図面とともに本発明による遊戯機の釘調整用支持台の好適な実施の形態について詳細に説明する。図１は本発明による遊戯機の釘調整用支持台を示す正面図、図２は図１における矢視ＩＩ−ＩＩ断面図、図３は図１における矢視ＩＩＩ−ＩＩＩ断面図（遊戯機支持部材の平面図）、図４は図３における矢視ＩＶ−ＩＶ断面図（遊戯機支持部材の断面図）、図５は図３における矢視Ｖ−Ｖ断面図（遊戯機支持部材の断面図）、図６は図３における矢視ＶＩ−ＶＩ断面図（遊戯機支持部材の断面図）、図７は図２におけるＡ部詳細図（下方向押付け装置の断面図）である。【００１４】  図１において、符号１で示すものは遊戯機の釘調整用支持台（以下において「遊戯機の釘調整用支持台」を「支持台」と省略して記述する。）であり、支持台１は左右方向に間隔を置いて直立する２本の柱部材２、柱部材２間の下方部に水平に掛渡し固定して設けられた遊戯機載置部材３、柱部材２間の遊戯機載置部材３の上部に水平に掛渡し固定するとともに撤去可能に設けられた遊戯盤載置部材４および柱部材２の上端間に掛渡し連結固定して設けられた上端連結部材５により、矩形の枠形状に構成され、上端連結部材５の左右方向中央部に下方向押付け装置６を設けて構成されている。【００１５】  ２本の前記柱部材２は、図１および図２に示すように、地面あるいは床面ｇから直立する柱部材であり、図１の左右方向に所定間隔すなわちその内側に余裕を持って遊戯機ａを挿入可能な間隔に離して配置され、下端に水平部材２ａを前後方向に配置し固定して設けられている。図では、柱部材２として軸直角断面の形状が矩形の角パイプ材が示されているが、遊戯機ａを載置し支持するために必要な強度を有する柱状部材であれば、角パイプ材に限定されるものではない。【００１６】  前記遊戯機載置部材３は、図１および図２に示すように、図１の左右方向へ水平配置される板状部材であり、上面が遊戯機ａを安定して載置可能なように平面状に形成され、遊戯機ａを載置した場合、遊戯機ａがパチンコ店に設置される高さとなるように位置決めされ、２本の前記柱部材２間に水平に掛渡し固定されている。また、遊戯機載置部材３の上面奥側には、遊戯機ａの前後方向における載置位置を決める位置決め板３ａが左右方向へ配置して設けられている。図では、遊戯機載置部材３として軸直角断面の形状が矩形の角パイプ材が示されているが、遊戯機ａを載置し支持するために必要な上平面および強度を有する部材であれば、角パイプ材に限定されるものではない。【００１７】  前記遊戯盤載置部材４は、図１〜図６に示すように、図１の左右方向へ水平配置される板状部材であり、上面が遊戯盤ｂを載置可能なように平面状に形成され、遊戯盤ｂを載置した場合、遊戯盤ｂがパチンコ店に設置される高さとなるように位置決めされている。また、遊戯盤載置部材４の上面手前側には、前後方向における載置位置を決めるとともに板状の遊戯盤ｂを安定して載置可能なように、遊戯盤ｂの下辺を挿入可能な溝部材４ａが左右方向へ配置して設けられている。すなわち、溝部材４ａは、前記支持台１の前後方向において、遊戯機ａが背面を前記位置決め板３ａに当接させて前記遊戯機載置部材３に載置された状態におけ��遊戯盤ｂの底辺の位置に設けられている。図では、遊戯盤載置部材４として軸直角断面の形状が矩形の角パイプ材が示されているが、直線状の溝部材４ａを設けるために必要な上平面および遊戯盤ｂを載置し支持するために必要な強度を有する部材であれば、角パイプ材に限定されるものではない。また、溝部材４ａとして２枚の長尺の板材が示されているが、軸直角断面の形状がＵ字形状の溝材でもよい。【００１８】  前記遊戯盤載置部材４は、遊戯盤ｂを載置する場合には前記柱部材２間に水平配置して掛渡され、遊戯機ａが前記遊戯機載置部材３に載置される場合には撤去可能なように構成されている。図に示す本実施例では、両側の前記柱部材２のそれぞれの対向面に案内溝板４１が設けられ、この案内溝板４１に沿って移動させることにより遊戯盤載置部材４の掛渡しおよび撤去が可能なように構成されている。すなわち、案内溝板４１には、同一溝幅の水平溝４１ａおよび垂直溝４１ｂが連続して逆Ｌ字形に形成されている。水平溝４１ａは前記柱部材２の載置高さにおける前後方向へ位置し、垂直溝４１ｂは柱部材２の背後に位置して下方へ伸びている。機種により遊戯盤ｂの下辺の載置高さが異なる場合は、それぞれの高さに合せた複数の水平溝４１ａを平行に形成し、例えば２種類の場合、２本の平行する水平溝４１ａと垂直溝４１ｂとをＦ字形に形成する。また、水平溝４１ａの中間部の下方には、停止ピン穴４１ｃが形成されている。【００１９】  前記遊戯盤載置部材４には、遊戯盤載置部材４が前記柱部材２間に水平に掛渡された状態の前面の左右２箇所に把手４ｂ、両側面の前後２箇所に案内突起４ｃおよび両側面中間部の下方に外部へ突出する停止ピン４ｄが設けられている。なお、停止ピン４ｄはバネにより付勢されて突出し、人手により突出部を引戻し可能に構成されている。遊戯盤載置部材４の両側面の全案内突起４ｃは、同時に前記案内溝板４１の水平溝４１ａあるいは垂直溝４１ｂに嵌合するとともに摺動可能に構成されている。また、遊戯盤載置部材４が前記柱部材２間に水平に掛渡された状態において、遊戯盤載置部材４の停止ピン４ｄが突出し前記案内溝板４１の停止ピン穴４１ｃへ嵌合可能に構成されている。なお、遊戯盤載置部材４を掛渡しおよび撤去する構成は図に示すものに限定されるものではなく、掛金に掛けて掛渡しおよび外して撤去する等、その他の構成でもよい。【００２０】  前記上端連結部材５は、図１、図２に示すように、２本の直立する前記柱部材２の上端間を連結固定する板状部材であり、前記遊戯機載置部材３との間に上下方向の所定間隔すなわち余裕を持って遊戯機ａを挿入可能な間隔を設けて水平に配置されている。上端連結部材５の左右方向中央部の上面には前記下方向押付け装置６、下面には、中央部に遊戯盤上部支持板５ｂ、遊戯盤上部支持板５ｂの両側の前記柱部材２との間にそれぞれ遊戯機上部支持板５ａが設けられている。図では、上端連結部材５として板材が示されているが、下方向押付け装置６の押付け力に耐える強度を有する部材であれば板材に限定されるものではない。【００２１】  前記遊戯盤上部支持板５ｂは前辺を前記上端連結部材５の下面に蝶番５ｃを介して前後方向へ揺動可能に取付けられ、両側辺部と上端連結部材５の後辺部とを折畳み式連結具５ｄにより連結され、裏面にマグネットキャッチ５ｅを設けられている。すなわち、遊戯盤上部支持板５ｂは折畳み式連結具５ｄの開閉により蝶番５ｃを回転中心として前後に揺動し、折畳み式連結具５ｄが折畳まれて閉じた状態で跳ね上げられ、マグネットキャッチ５ｅの磁力により鉄材で構成される上端連結部材５の下面部に接着して保持され、折畳み式連結具５ｄが直線状に開かれた状態で下方へ鉛直に開く。折畳み式連結具５ｄは直線状態を僅かに越えて開かれることにより折畳み支点が死支点となり、遊戯盤上部支持板５ｂが下方に開いた状態で固定される。なお、上端連結部材５および遊戯盤上部支持板５ｂの左右方向中央部には、後述する前記下方向押付け装置６の上下作動のために、必要に応じて切欠き部が設けられている。【００２２】  前記遊戯機上部支持板５ａは、前記上端連結部材５の下面において下方向へ鉛直に設けられている。遊戯機上部支持板５ａは、前記支持台１の前後方向において、前記遊戯機載置部材３に設けられた位置決め板３ａの位置よりも僅かに奥側、すなわち遊戯機載置部材３に載置された遊戯機ａの背面を位置決め板３ａおよび遊戯機上部支持板５ａに当接させた状態で、遊戯機ａの上端が下端に対して奥方向へ約１度傾斜するように、奥側の位置に設けられている。また、前記遊戯盤上部支持板５ｂは、下方に開いた状態で、支持台１の前後方向において、水平に掛渡された状態における前記遊戯盤載置部材４の溝部材４ａの位置よりも僅かに奥側、すなわち溝部材４ａの溝内に載置された遊戯盤ｂの背面を遊戯盤上部支持板５ｂに当接させた状態で、遊戯盤ｂの上端が下端に対して奥方向へ約１度傾斜するように、奥側の位置に設けられている。その結果、支持台１の前後方向において、遊戯盤上部支持板５ｂが手前側、遊戯機上部支持板５ａが奥側に位置している。【００２３】  前記下方向押付け装置６は、図１、図２および図７に示すように、フレーム６１、フレーム６１に設けられたネジによる昇降部６２および昇降部６２に螺合して上下動するトグルクランブ部６３により構成されている。フレーム６１は、下方向押付け装置６の上下方向において平行して水平配置される上部固定板６１ａおよび下部固定板６１ｂ、および上部固定板６１ａと下部固定坂６１ｂとの間に鉛直に配置されて所定間隔を保持するとともに一体化固定する複数本の案内棒６１ｃにより構成されている。下方向押付け装置６は、下部固定坂６１ｂが前記上端連結部材５の中央部に組付けられている。昇降部６２は、フレーム６１の中央後部に配置され、上端が上部固定板６１ａを貫通して上部に突出するとともに上部固定板６１ａと下部固定坂６１ｂとの間に鉛直かつ軸芯を回転中心として回転可能に支持されるネジ棒６２ａ、およびネジ棒６２ａの上部突出端に設けられた回転ハンドル６２ｂにより構成されている。回転ハンドル６２ｂにはハンドル把持部６２ｃが設けられている。【００２４】  前記トグルクランプ部６３は、上下に位置する２箇のリンクにより構成されるとともに上部リンクの中間部と下部リンクの上端部とが回転支点を介して連結されたトグルリンク６３ａ、下部リンクの下端部に回転支点を介して上下移動可能に連結されたクランプ棒６３ｂ、上部リンクの下端部に組付けられたレバー６３ｃ、および、上部リンクの上端部を回転支点を介して支持し、クランプ棒６３ｂを貫通させて上下方向移動を案内し、前記フレーム６１の案内棒６１ｃを摺動可能に貫通させ、前記ネジ棒６２ａを貫通させてネジ結合するクランプ台６３ｄにより構成されている。クランプ棒６３ｂの先端部には緩衝材６３ｅを設けて構成されている。従って、トグルクランプ部６３は、レバー６３ｃを引下げることによりクランプ棒６８ｂが引下げられる。レバー６３ｃが最下点まで引下げられるとトグルリンク６３ａの２箇のリンクを連結する回転支点が死支点となり、クランプ棒６３ｂの上方への移動が阻止される。トグルリンク６３ａの死支点は、レバー６３ｃを最下点から引上げることにより解除され、続いてクランプ棒６３ｂが上方へ引上げられる。なお、前記下方向押付け装置６は上述するフレーム６１、昇降部６２およびトグルクランプ部６３により構成さるものに限定されるものではなく、遊戯機ａまたは遊戯盤ｂの載置状態の固定・解放を行える装置であれば、他の装置でもよい。【００２５】  以上のように構成された支持台１は、柱部材２の水平部材２ａにより作業場の地面あるいは床面ｇに安定した直立状態で配置され、遊戯機ａが支持台１に載置され、釘調整作業が以下のように行われる。同一機種すなわち高さ寸法が同一の複数台の遊戯機ａについて釘調整作業を行う場合、まず、遊戯盤載置部材４を水平配置状態から背後へ移動させる。すなわち、遊戯盤載置部材４の両側の停止ピン４ｄを手で引戻して僅かに後方へ押出すことにより停止ピン４ｄを停止ピン穴４１ｃから外し、両側の把手４ｂを手で持って後方へ押出し、その後下方へ降ろす。遊戯盤載置部材４は案内突起４ｃが案内溝板４１の水平溝４１ａおよび垂直溝４１ｂに沿って移動し、垂直溝４１ｂの下端に到達して停止し、図３において仮想線で示すように、支持台１の背後に鉛直状態で保持される。以上の操作の結果、遊戯機ａを遊戯機載置部材３上に載置する際に障害となる遊戯盤載置部材４が排除される。なお、初期状態で、遊戯盤載置部材４が支持台１の背後に鉛直状態で保持されている場合は、この操作は不要である。【００２６】  つぎに、上端連結部材５の遊戯盤上部支持板５ｂを後方へ跳ね上げる。すなわち、直線状に開かれた折畳み式連結具５ｄの折畳み支点を上方へ持上げてを折畳むことにより遊戯盤上部支持板５ｂを後方へ跳ね上げ、マグネットキャッチ５ｅにより上端連結部材５の下面部の鉄材に接着して保持させる。以上の操作の結果、遊戯機ａを遊戯機載置部材３上に載置する際に障害となる遊戯盤上部支持板５ｂが排除される。なお、初期状態で、遊戯盤上部支持板５ｂが跳ね上げられ保持されている場合は、この操作は不要である。【００２７】  つぎに、下方向押付け装置６において、トグルクランプ部６３のレバー６３ｃが最下点まで引下げられた状態で、昇降部６２のハンドル把持部６２ｃにより回転ハンドル６２ｂを一方（ネジ棒６２ａが右ネジであれば右方向、左ネジであれば左方向）へ回転させる。回転ハンドル６２ｂとともに一方へ回転するネジ棒６２ａはネジ結合するクランプ台６３ｄすなわちトグルクランプ部６３を案内棒６１ｃに沿って引上げる。トグルクランプ部６３が略最大限引上げられたところで回転ハンドル６２ｂの回転を停止し、トグルクランプ部６３がその位置で保持される。以上の操作の結果、クランプ棒６３ｂの先端すなわち下端が、遊戯機ａを遊戯機載置部材３上に載置する際に障害とならない高さまで引上げられる。なお、初期状態で、クランプ棒６３ｂが引上げられている場合は、この操作は不要である。【００２８】  以上の３操作により遊戯機載置部材３と上端連結部材５との間に遊戯機ａを挿入可能な空間が形成された状態で、遊戯機載置部材３の上面に未調整の遊戯機ａを載置する。ついで、遊戯機ａを押込み、背面の下部を位置決め板３ａに押し当てる。この操作により、遊戯機ａが遊戯機載置部材３の所定の位置に載置された状態となる。ついで、遊戯機ａの前面上部を手で押して遊戯機上部支持板５ａに押し当てる。この操作により、遊戯機ａの上端が下端に対して奥方向へ約１度傾斜した状態すなわち遊戯機ａの設置状態となる。【００２９】  つぎに、下方向押付け装置６において、トグルクランプ部６３のレバー６３ｃが最下点まで引下げられた状態、すなわち、クランプ棒６３ｂが引下げられるとともにトグルリンク６３ａが死支点状態となった状態で、昇降部６２のハンドル把持部６２ｃにより回転ハンドル６２ｂを他方（ネジ棒６２ａが右ネジであれば左方向、左ネジであれば右方向）へ回転させる。この操作により、回転ハンドル６２ｂとともに他方へ回転するネジ棒６２ａにネジ結合するクランプ台６３ｄを介して、トグルクランプ部６３すなわちクランプ棒６３ｂが押し下げられる。回転ハンドル６２ｂの回転を続け、クランプ棒６３ｂの先端が緩衝材６３ｅを介して遊戯機ａの上端面に接触し、所定の力により押付けた状態で回転を停止する。【００３０】  以上の一連の操作により、遊戯機ａが設置状態すなわち設置状態と同じ高さおよび上端が下端に対して奥方向へ約１度傾斜した状態で支持台１に載置固定され、この状態で作業者により釘調整作業が行われる。釘調整作業が終了すると、下方向押付け装置６のレバー６３ｃを、図２および図３の上部において仮想線で示すように、鉛直状態を越えた位置まで引上げる。この操作により、クランプ棒６３ｂは死支点状態を解除されて引上げられ、その先端が遊戯機ａの上端面から離れた状態となって保持され、遊戯機ａの載置固定状態が解放される。ついで、解放された調整済の遊戯機ａを支持台１から撤去する。【００３１】  つぎに、新たな未調整の遊戯機ａを遊戯機載置部材３の上面に載置し、押込み、背面の下部を位置決め板３ａに押し当てる。ついで、遊戯機ａの前面上部を押して遊戯機上部支持板５ａに押し当て、押し当てた状態で下方向押付け装置６のレバー６３ｃを最下点まで引下げる。この操作により、クランプ棒６３ｂの先端が遊戯機ａの上端面に接触し、遊戯機ａが所定の力により押付けられて設置状態に載置固定される。この状態で作業者により釘調整作業が行われる。以下同様にして、下方向押付け装置６のレバー６３ｃを引下げおよび引上げにより、未調整の遊戯機ａの載置・固定および調整済の遊戯機ａの解放・撤去が繰返し行われる。すなわち、最初に下方向押付け装置６の昇降部６２を操作してトグルクランプ部６３の���付け位置を設定することにより、トグルクランプ部６３のレバー６３ｃの引下げおよび引上げの各一操作だけで、支持台１における遊戯機ａの載置・固定および解放・撤去が行われる。【００３２】  機種が異なるすなわち高さ寸法が異なる遊戯機ａの釘調整作業を引続いて行う場合は、前述の遊戯機ａの場合と同様に、下方向押付け装置６のトグルクランプ部６３を引上げ、遊戯機ａを遊戯機載置部材３の所定位置に載置し、遊戯機ａの前面上部を押して遊戯機上部支持板５ａに押し当てた状態で、レバー６３ｃを引下げたトグルクランプ部６３を押し下げ、図７の下部において仮想線で示すように、クランプ棒６３ｂの所定の力による押付け状態を再設定する。この再設定により、同様にレバー６３ｃを引下げおよび引上げの操作だけで、新たな高さの遊戯機ａを支持台１に載置・固定し、解放・撤去することを繰返し行うことが可能となる。【００３３】  同一機種すなわち高さ寸法が同一の複数台の遊戯盤ｂについて釘調整作業を行う場合、まず、直立した支持台１において、遊戯盤載置部材４を案内溝板４１の水平溝４１ａ（複数の水平溝４１ａがある場合は、遊戯盤ｂの設置高さに相当する水平溝４１ａ）に水平配置する。遊戯盤載置部材４が支持台１の背後に鉛直状態で保持されている場合は、把手４ｂを手で持って上方へ引上げ、その後前方へ引出し、停止ピン４ｄを停止ピン穴４１ｃに嵌合させて固定設置する。ついで、上端連結部材５の遊戯盤上部支持板５ｂにおいて、折畳み支点が死支点となるように折畳み式連結具５ｄを開き、遊戯盤上部支持板５ｂを下方へ開いて固定する。ついで、遊戯機ａの場合と同様に、下方向押付け装置６において、トグルクランプ部６３を引上げる。なお、初期状態で、遊戯盤載置部材４、遊戯盤上部支持板５ｂおよび下方向押付け装置６がこのような状態にある場合は、これらの操作は不要である。【００３４】  以上の操作により遊戯盤載置部材４と上端連結部材５との間に遊戯盤ｂを挿入可能な空間が形成された状態で、遊戯盤載置部材４の溝部材４ａの溝内に未調整の遊戯盤ｂを載置し、上端連結部材５の遊戯盤上部支持板５ｂに立掛ける。この操作により、遊戯盤ｂの上端が下端に対して奥方向へ約１度傾斜した状態すなわち遊戯盤ｂの設置状態となる。ついで、前述の遊戯機ａの場合と同様に、下方向押付け装置６において、レバー６３ｃが最下点まで引下げられた状態でトグルクランプ部６３を押し下げ、遊戯盤ｂの上端面を所定の力で押付ける。【００３５】  以上の一連の操作により、遊戯盤ｂが設置状態すなわち設置状態と同じ高さおよび上端が下端に対して奥方向へ約１度傾斜した状態で支持台１に載置固定され、この状態で作業者により釘調整作業が行われる。釘調整作業が終了すると、前述の遊戯機ａの場合と同様に、下方向押付け装置６のレバー６３ｃを鉛直状態を越えた位置まで引上げ、載置固定状態が解放された調整済の遊戯盤ｂを支持台１から撤去する。【００３６】  つぎに、新たな未調整の遊戯盤ｂを遊戯盤載置部材４の溝部材４ａの溝内に載置して遊戯盤上部支持板５ｂに立掛け、下方向押付け装置６のレバー６３ｃを最下点まで引下げて遊戯盤ｂを載置固定し、釘調整作業を行う。以下同様にして、下方向押付け装置６のレバー６３ｃの引下げおよび引上げにより、未調整の遊戯盤ｂの載置・固定および調整済の遊戯盤ｂの解放・撤去が繰返し行われる。すなわち、最初に下方向押付け装置６の昇降部６２を操作してトグルクランプ部６３の押付け位置を設定することにより、トグルクランプ部６３のレバー６３ｃの引下げおよび引上げの各一操作だけで、支持台１における遊戯盤ｂの載置・固定および解放・撤去が行われる。【００３７】  機種が異なるすなわち高さ寸法が異なる遊戯盤ｂの釘調整作業を引続いて行う場合は、前述の遊戯盤ｂの場合と同様に、下方向押付け装置６のトグルクランプ部６３を引上げ、遊戯盤ｂを遊戯盤載置部材４の溝部材４ａの溝内に載置し、遊戯盤上部支持板５ｂに立掛けた状態で、レバー６３ｃを引下げたトグルクランプ部６３の押し下げ、クランプ棒６３ｂの所定の力による押付け状態を再設定する。この再設定により、同様にレバー６３ｃの引下げおよび引上げの操作だけで、新たな高さの遊戯盤ｂを支持台１に載置・固定し、解放・撤去することを繰返し行うことが可能となる。なお、案内溝板４１に複数の水平溝４１ａがある場合は、最初に、遊戯盤載置部材４を遊戯盤ｂの設置高さに相当する水平溝４１ａに水平配置および固定設置し、その後、これらの操作を行う。
【図面の簡単な説明】
【００３８】
【図１】  本発明によるパチンコ遊戯機の釘調整用支持台を示す正面図である。
【図２】  図１における矢視ＩＩ−ＩＩ断面図である。
【図３】  図１における矢視ＩＩＩ−ＩＩＩ断面図（遊戯機支持部材の平面図）である。
【図４】  図３における矢視ＩＶ−ＩＶ断面図（遊戯機支持部材の断面図）である。
【図５】  図３における矢視Ｖ−Ｖ断面図（遊戯機支持部材の断面図）である。
【図６】  図３における矢視ＶＩ−ＶＩ断面図（遊戯機支持部材の断面図）である。
【図７】  図２におけるＡ部詳細図（下方向押付け装置の断面図）である。
【符号の説明】
【００３９】  １‥‥パチンコ遊戯機の釘調整用支持台（「支持台」と略称する。）、２‥‥柱部材、２ａ‥‥水平部材、３‥‥遊戯機載置部材、３ａ‥‥位置決め板、４‥‥遊戯盤載置部材、４ａ‥‥溝部材、４ｂ‥‥把手、４ｃ‥‥案内突起、４ｄ‥‥停止ピン、４１‥‥案内溝板、４１ａ‥‥水平溝、４１ｂ‥‥垂直溝、４１ｃ‥‥停止ピン穴、５‥‥上端連結部材、５ａ‥‥遊戯機上部支持板、５ｂ‥‥遊戯盤上部支持板、５ｃ‥‥蝶番、５ｄ‥‥折畳み式連結具、５ｅ‥‥マグネットキャッチ、６‥‥下方向押付け装置、６１‥‥フレーム、６１ａ‥‥上部固定板、６１ｂ‥‥下部固定坂、６１ｃ‥‥案内棒、６２‥‥昇降部、６２ａ‥‥ネジ棒、６２ｂ‥‥回転ハンドル、６２ｃ‥‥ハンドル把持部、６３‥‥トグルクランプ部、６３ａ‥‥トグルリンク、６３ｂ‥‥クランプ棒、６３ｃ‥‥レバー、６３ｄ‥‥クランプ台、６３ｅ‥‥緩衝材、ａ‥‥パチンコ遊戯機（「遊戯機」と略称する。）、ｂ‥‥遊戯盤、ｇ‥‥地面あるいは床面
【図１】
2005144088.tif 000003
【図２】
2005144088.tif 000004
【図３】
2005144088.tif 000005
【図４】
2005144088.tif 000006
【図５】
2005144088.tif 000007
【図６】
2005144088.tif 000008
【図７】
2005144088.tif 000009